(57)【要約】【課題】外部から入射した外光が多重反射する割合を増加させ、発光素子が発光する光と異なる波長を有する光を減光することにより、外観品位を向上させることができる面発光モジュールを提供する。【解決手段】面発光モジュール１は、第１波長を有する光を出射方向に出射するとともに、外部から入射し第１波長と異なる第２波長を有する光を反射する発光素子２と、第２波長を有する光を吸収する光吸収層２０と、第１波長を有する光および第２波長を有する光の双方を拡散させる光拡散層３０と、を備え、出射方向に沿って、発光素子２、光吸収層２０および光拡散層３０がこの順で配置されている。【選択図】図１
2017084517.tif 000002
【特許請求の範囲】
【請求項１】
第１波長を有する光を出射方向に出射するとともに、外部から入射し前記第１波長と異なる第２波長を有する光を反射する発光素子と、
前記第２波長を有する光を吸収する光吸収層と、
前記第１波長を有する光および前記第２波長を有する光の双方を拡散させる光拡散層と、を備え、
前記出射方向に沿って、前記発光素子、前記光吸収層および前記光拡散層がこの順で配置されている、面発光モジュール。
【請求項２】
前記発光素子が、有機ＥＬ素子を含む、請求項１に記載の面発光モジュール。
【請求項３】
前記発光素子は、前記第２波長を有する光を反射する反射面を有し、
平面視した場合における前記発光素子の幅または奥行が、前記光拡散層における前記光吸収層側とは反対側の面から前記反射面までの間の距離の３倍以上である、請求項１または２に記載の面発光モジュール。
【請求項４】
前記第１波長を有する光が、単一の波長を有する、請求項１から３のいずれか１項に記載の面発光モジュール。
【請求項５】
前記第１波長を有する光が、赤色光である、請求項１から４のいずれか１項に記載の面発光モジュール。
【請求項６】
前記第１波長を有する光と前記第２波長を有する光とが、補色の関係にある、請求項１から５のいずれか１項に記載の面発光モジュール。
【請求項７】
相対する第１主面および第２主面を有し、前記発光素子、前記光吸収層および前記光拡散層を支持する支持基板をさらに備え、
前記発光素子が、前記第１主面上に設けられ、
前記光吸収層および前記光拡散層が、前記第２主面上において、前記第２主面の法線方向に沿ってこの順で設けられる、請求項１から６のいずれか１項に記載の面発光モジュール。
【請求項８】
相対する第１主面および第２主面を有し、前記発光素子、前記光吸収層および前記光拡散層を支持する支持基板をさらに備え、
前記光拡散層、前記光吸収層、および前記発光素子が、前記第１主面上において、前記第１主面の法線方向に沿ってこの順で設けられる、請求項１から６のいずれか１項に記載の面発光モジュール。
【請求項９】
前記光吸収層が有する透過特性において前記第１波長での値と前記第２波長での値との差を２倍した値が、前記発光素子が有する反射特性において前記第１波長での値と前記第２波長での値との差よりも大きい、請求項１から８のいずれか１項に記載の面発光モジュール。
【請求項１０】
前記光拡散層のヘイズ値が、５０％以上である、請求項１から９のいずれか１項に記載の面発光モジュール。
【請求項１１】
外部から前記光拡散層および前記光吸収層を通って前記発光素子内に侵入し、前記発光素子によって反射された光を前記発光素子側に反射する前記光拡散層の反射率が、５％以上である、請求項１から１０のいずれか１項に記載の面発光モジュール。
【発明の詳細な説明】
【技術分野】
【０００１】
本発明は、面発光モジュールに関する。
【背景技術】
【０００２】
近年、有機ＥＬ（Electroluminescence）素子の開発が各社進んでいる。有機ＥＬ素子は、面光源・薄型・フレキシブルなどの利点を有することから新しい光源として期待されている。有機ＥＬ素子が照明光源として用いられることは、もちろんであるが、光源自体を視認させる“サイン”として用いられることも想定されている。
【０００３】
たとえば、有機ＥＬ素子は、自動車のテールランプ、電化製品のインジケータ等の光源にも好適に用いることができる。このような用途の場合、白色以外の発色設計にすることも考えられる。また、消灯時の外観も非常に重要な要素である。
【０００４】
有機ＥＬ素子は、多層膜構造を有することから、外部から入射した外光の反射特性に波長依存性があり、消灯時の外観が色づいて見えることが知られている。特に単色発光素子に関して光取出し設計を最適化した場合は、発光波長と補色の関係にある色が顕著に反射して見えることから、これを抑制することが課題となっている。
【０００５】
上記照明光源等の光源とは異なるが、表示装置に有機ＥＬ素子が用いられる場合において、有機ＥＬ素子にて反射され特定波長を有する外光が外部に取出されることを抑制する構成が開示された文献として、たとえば特開２０１１−２９１３７号公報（特許文献１）が挙げられる。
【０００６】
特許文献１に開示の表示装置においては、互いに離間して行列状に配置される複数の画素領域と複数の画素領域の間に位置する非画素領域とを含み、画素領域毎に有機発光素子が設けられた第１基板と、第２基板とが対向配置されている。第１基板に向く第２基板の主面うち第１基板の非画素領域に対向する部分に、有機発光素子の発光波長と補色関係にある光（有機発光素子に反射された外光が有する色成分のうち最も多い色成分に相当する色の光）を吸収するカラーフィルター層が設けられている。
【０００７】
上述のような特定波長を有する外光が外部に取出されることを抑制する構成と異なるが、有機ＥＬ素子が用いられ、所望の色の光を取り出し可能な光源が開示された文献として、たとえば特開２００４−３１１１５３号公報（特許文献２）が挙げられる。特許文献２に開示の光源においては、有機ＥＬ素子と蛍光体層とを積層し、有機ＥＬ素子から発光された光を色変換して、白色等の任意の色の光を得ることができる。
【先行技術文献】
【特許文献】
【０００８】
【特許文献１】特開２０１１−２９１３７号公報
【特許文献２】特開２００４−３１１１５３号公報
【発明の概要】
【発明が解決しようとする課題】
【０００９】
しかしながら、特許文献１に開示の構成においては、有機発光素子によって反射され、有機発光素子の発光波長と補色関係にある光の大部分が、これを吸収するカラーフィルター層を通過して、外部に放出される。上記カラーフィルター層を１回のみ通過するだけでは、上記補色関係にある光が十分に減光されているとは言えず、特許文献１に開示の構成を上記照明光源等の光源に適用した場合には、補色関係にある光の減光が十分ではなく、光源の消灯時に、外観が色づいて見えてしまい、外観品位が損なわれることが懸念される。
【００１０】
特許文献２に開示の構成においては、上述のように外光のうち有機ＥＬ素子によって反射され、有機発光素子の発光波長と補色関係にある光を減光することについては考慮されていない。蛍光体層は、有機ＥＬ素子から発光される特定の波長域の光を吸収して色変換するものであるため、上記補色関係にある光は、蛍光体層によって色変換されず、光源の消灯時等に、外部に出射されてしまう。このため、外観が色づいて見えてしまい、外観品位が損なわれてしまう。
【００１１】
本発明は、上記のような問題に鑑みてなされたものであり、本発明の目的は、外部から入射した外光が多重反射する割合を増加させ、発光素子が発光する光と異なる波長を有する光を減光することにより、外観品位を向上させることができる面発光モジュールを提供することにある。
【課題を解決するための手段】
【００１２】
本発明に基づく面発光モジュールは、第１波長を有する光を出射方向に出射するとともに、外部から入射し上記第１波長と異なる第２波長を有する光を反射する発光素子と、上記第２波長を有する光を吸収する光吸収層と、上記第１波長を有する光および上記第２波長を有する光の双方を拡散させる光拡散層と、を備え、上記出射方向に沿って、上記発光素子、上記光吸収層および上記光拡散層がこの順で配置されている。
【００１３】
上記本発明に基づく面発光モジュールにあっては、上記発光素子が、有機ＥＬ素子を含むことが好ましい。
【００１４】
上記本発明に基づく面発光モジュールにあっては、上記発光素子は、上記第２波長を有する光を反射する反射面を有する。この場合には、平面視した場合における上記発光素子の幅または奥行が、上記光拡散層における前記光吸収層とは反対側の面から上記反射面までの間の距離の３倍以上であることが好ましい。
【００１５】
上記本発明に基づく面発光モジュールにあっては、上記第１波長を有する光が、単一の波長を有していてもよい。
【００１６】
上記本発明に基づく面発光モジュールにあっては、上記第１波長を有する光が、赤色光であってもよい。
【００１７】
上記本発明に基づく面発光モジュールにあっては、上記第１波長を有する光と上記第２波長を有する光とが、補色の関係にあってもよい。
【００１８】
上記本発明に基づく面発光モジュールは、相対する第１主面および第２主面を有し、上記発光素子、上記光吸収層および上記光拡散層を支持する支持基板をさらに備えていてもよい。この場合には、上記発光素子が、第１主面上に設けられ、上記光吸収層および上記光拡散層が、上記第２主面上において、上記第２主面の法線方向に沿ってこの順で設けられていてもよい。
【００１９】
上記本発明に基づく面発光モジュールは、相対する第１主面および第２主面を有し、上記発光素子、上記光吸収層および上記光拡散層を支持する支持基板をさらに備えていてもよい。この場合には、上記光拡散層、上記光吸収層、および上記発光素子が、上記第１主面上において、上記第１主面の法線方向に沿ってこの順で設けられていてもよい。
【００２０】
上記本発明に基づく面発光モジュールにあっては、上記光吸収層が有する透過特性において上記第１波長での値と上記第２波長での値との差を２倍した値が、上記発光素子が有する反射特性において上記第１波長での値と上記第２波長での値との差よりも大きいことが好ましい。
【００２１】
上記本発明に基づく面発光モジュールにあっては、上記光拡散層のヘイズ値が、５０％以上であることが好ましい。
【００２２】
上記本発明に基づく面発光モジュールにあっては、外部から上記光拡散層および上記光吸収層を通って上記発光素子内に侵入し、上記発光素子によって反射された光を上記発光素子側に反射する上記光拡散層の反射率が、５％以上であることが好ましい。
【発明の効果】
【００２３】
本発明によれば、外部から入射した外光が多重反射する割合を増加させ、発光素子が発光する光と異なる波長を有する光を減光することにより、外観品位を向上させることができる面発光モジュールを提供することができる。
【図面の簡単な説明】
【００２４】
【図１】実施の形態１に係る面発光モジュールの断面図である。
【図２】図１に示す矢印ＩＩ方向から見た面発光モジュールの平面図である。
【図３】実施の形態１に係る面発光モジュール内を外光が伝播する様子を示す模式図である。
【図４】比較例における面発光モジュール内を外光が伝播する様子を示す模式図である。
【図５】実施の形態２に係る面発光モジュール内を外光が伝播する様子を示す模式図である。
【発明を実施するための形態】
【００２５】
以下、本発明の実施の形態について、図を参照して詳細に説明する。なお、以下に示す実施の形態においては、同一のまたは共通する部分について図中同一の符号を付し、その説明は繰り返さない。
【００２６】
（実施の形態１）
図１は、実施の形態１に係る面発光モジュールの断面図である。図２は、図１に示す矢印ＩＩ方向から見た面発光モジュールの平面図である。図１および図２を参照して、実施の形態１に係る面発光モジュール１について説明する。
【００２７】
図１および図２に示すように、実施の形態１に係る面発光モジュール１は、平面視において略矩形形状を有する。面発光モジュール１は、発光素子としての有機ＥＬ素子２と、支持基板１２と、光吸収層２０と、光拡散層３０とを備える。有機ＥＬ素子２、光吸収層２０、および光拡散層３０は、面発光モジュール１の出射方向（図１中矢印ＡＲ方向）に沿ってこの順で配置されている。
【００２８】
また、面発光モジュール１は、陽極１３、有機層１４、陰極１５、封止層１６、絶縁層１７、および電極部１８，１９を備える。
【００２９】
支持基板１２は、透明基板によって構成されている。透明基板としては、たとえばガラス基板や、ＰＥＴ、ＰＣ等のフィルム基板を採用することができる。支持基板１２は、可撓性を有することが好ましい。
【００３０】
支持基板１２は、相対する第１主面１２ａおよび第２主面１２ｂを有する。支持基板１２は、有機ＥＬ素子２、光吸収層２０および光拡散層３０を支持する。
【００３１】
有機ＥＬ素子２は、支持基板１２の第１主面１２ａ上に設けられている。有機ＥＬ素子２は、陽極１３、有機層１４および陰極１５によって構成されている。陽極１３、有機層１４および陰極１５は、第１主面１２ａ上にこの順に積層されている。
【００３２】
陽極１３は、透明性を有する導電膜である。陽極１３を形成するためには、スパッタリング法等によって、ＩＴＯ（Ｉｎｄｉｕｍ  Ｔｉｎ  Ｏｘｉｄｅ：インジウム錫酸化物）等が支持基板１２の第１主面１２ａ上に成膜される。フォトリソグラフィ法等によりＩＴＯ膜が所定の形状にパターニングされることによって、陽極１３が形成される。実施の形態１における陽極１３は、電極部１８（陽極用）および電極部１９（陰極用）を形成するために、パターニングによって２つの領域に分割されている。なお、陽極１３には、ＩＴＯに代えて、薄膜のＡｇ層やＡｇ化合物等が用いられてもよい。
【００３３】
有機層１４（発光層）は、電力を供給されることによって光（可視光）を生成することができる。有機層１４は、単層の発光層から構成されていてもよく、正孔輸送層、発光層、正孔阻止層、および電子輸送層などが順次積層されることによって構成されていてもよい。
【００３４】
陰極１５は、たとえばアルミニウム（ＡＬ）である。陰極１５は、真空蒸着法等によって有機層１４を覆うように形成される。陰極１５を所定の形状にパターニングするために、真空蒸着の際にはマスクが用いられるとよい。陰極１５は、反射面１５ａを有し、有機層１４から陰極１５に向かう光を有機層１４側に向けて反射させる。また、陰極１５は、反射面１５ａによって、外部（光拡散層３０側）から面発光モジュール１内に入射した光を光拡散層３０側に向けて反射させる。反射面１５ａは、支持基板１２から遠い側に位置する有機層１４の主面に接触する部分の陰極１５によって構成される。
【００３５】
陰極１５と陽極１３とが短絡しないように、陰極１５と電極部１８側の陽極１３との間に絶縁層１７が設けられる。陰極１５の絶縁層１７が設けられる側とは反対側の部分は、電極部１９側の陽極１３に接続される。絶縁層１７は、たとえばスパッタリング法を用いてＳｉＯ２などが成膜された後、フォトリソグラフィ法等を用いて陽極１３と陰極１５とを互いに絶縁する箇所を覆うように所望のパターンに形成される。
【００３６】
封止層１６は、絶縁性を有する樹脂またはガラス基板などから構成される。封止層１６は、有機層１４を水分等から保護するために形成される。封止層１６は、陽極１３、有機層１４、および陰極１５の略全体を支持基板１２上に封止する。陽極１３の一部は、電気的な接続のために、封止層１６から露出している。
【００３７】
陽極１３の封止層１６から露出している（図１右側の）部分は、電極部１８を構成する。電極部１８と陽極１３とは互いに同じ材料で構成される。電極部１８は、面発光モジュール１の外周部に位置する。陽極１３の封止層１６から露出している（図１左側の）部分は、電極部１９を構成する。電極部１９と陽極１３とは互いに同じ材料で構成される。電極部１９も、面発光モジュール１の外周部に位置する。
【００３８】
電極部１８および電極部１９は、有機層１４を挟んで相互に反対側に位置している。電極部１８および電極部１９には、はんだ付け（銀ペースト）等を用いて配線パターン（図示せず）が取り付けられる。
【００３９】
有機層１４には、外部の電源装置から、上記配線パターン、電極部１８，１９、陽極１３および陰極１５を通して電力が供給される。電力が供給されることにより、有機層１４にて光が生成される。有機層１４にて生成された光の一部は、陽極１３、支持基板１２、光吸収層２０、および光拡散層３０を順に通って、出射方向（矢印ＡＲ方向）に出射される。また、有機層１４にて生成された光の他の一部は、陰極１５によって反射され、陽極１３、支持基板１２、光吸収層２０、および光拡散層３０を順に通って、出射方向に出射される。このように、有機ＥＬ素子２は、出射方向に出射光を出射する。
【００４０】
有機ＥＬ素子２によって出射される出射光は、第１波長を有する。ここで第１波長とは出射光の主波長のことであり、たとえば赤色光の場合には、主波長が５８０ｎｍ以上７８０ｎｍ未満の範囲内にある。出射光は、複数色の波長域の光を含む場合もありうるが、たとえば赤色のみなどの単独色の光、すなわち単一の主波長を有する光によって構成されることが好ましい。
【００４１】
また、有機ＥＬ素子２は、反射特性に波長依存性を有し、外部から面発光モジュール１内に入射した光のうち、第１波長と異なる第２波長を有する光を強く反射する。
【００４２】
有機ＥＬ素子２が有する反射光の波長依存性は、有機層１４を構成する機能層の膜厚によって変動する。上述の有機層１４が、駆動電圧低減の目的の観点から、正孔注入層、電子輸送層などの機能層を複数積層して構成される場合には、機能層の総数は、１０層以上となることがある。各機能層の膜厚は、数ｎｍ〜数μｍ程度であるため、有機層１４は、誘電体多層膜のような挙動を示す。
【００４３】
各機能層の膜厚を変えれば、光取出し効率が変化することが知られており、各膜厚をパラメータとして最適化設計を行うことで、高い光取出し効率の有機ＥＬ素子２を製造することができる。この場合、膜厚を振ると反射光の波長依存性も変化し、単色の光取出し効率を最適化した設計では、最適化した色と補色関係にある色の反射率が高くなることが多い。すなわち、第１波長を有する光と、第２波長を有する光とが、補色の関係となる。
【００４４】
第１波長を有する出射光が赤色である場合には、第２波長を有する光は、赤色光と補色関係にある緑色光となる。
【００４５】
光吸収層２０および光拡散層３０は、支持基板１２の第２主面１２ｂ上において、出射方向に向けて第２主面１２ｂの法線方向に沿ってこの順で設けられている。
【００４６】
光吸収層２０は、第２主面１２ｂ上に設けられている。光吸収層２０は、第１波長と異なる第２波長を有する光を吸収する。光吸収層２０としては、たとえば樹脂（バインダー）に第２波長を有する光を吸収する粒子を分散させたものを用いてもよいし、カラーセロハン等の樹脂フィルムまたはカラーフィルター層を用いてもよい。
【００４７】
光吸収層２０として、樹脂（バインダー）に第２波長を有する光を吸収する粒子を分散させたものを用いる場合には、上記粒子が分散された樹脂溶液を支持基板１２の第２主面１２ｂ上に塗布してこれを硬化させてもよい。
【００４８】
光吸収層２０として、樹脂フィルムまたはカラーフィルター層を用いる場合には、接着剤を用いてこれらを支持基板１２の第２主面１２ｂ上に光学的に密着させてもよい。
【００４９】
なお、後述する光拡散層３０に光吸収層２０を形成してから、光吸収層２０側を支持基板１２の第２主面１２ｂ上に接着等により固定してもよいし、光吸収層２０上に光拡散層３０を形成してから、光吸収層２０側を支持基板１２の第２主面１２ｂ上に接着等により固定してもよい。
【００５０】
光吸収層２０および光拡散層３０を第２主面１２ｂ上に出射方向に向けてこの順に成膜することも可能であるが、上述のように、光吸収層２０および光拡散層３０が成膜されたものを支持基板１２の第２主面１２ｂ上に固定することにより、成膜不良による歩留りの低下を抑制することができる。
【００５１】
光拡散層３０は、光吸収層２０上に設けられている。光拡散層３０は、たとえば光吸収層２０上に接着等により固定される。光拡散層３０は、第１波長を有する光および第２波長を有する光の双方を拡散させる。
【００５２】
光拡散層３０としては、内部に微粒子を含むことで内部散乱作用を利用して光を拡散するものや、表面に凹凸を有することで界面反射作用を利用して光を拡散するものや、母材中に酸化チタンに代表される白色散乱粒子を含む散乱材料を均一に分散させたもの等を利用することができる。たとえば、光拡散層３０として、光拡散フィルムを用いることができる。
【００５３】
光拡散層３０は、有機ＥＬ素子２から出射された出射光を拡散させて外部に取り出す機能を有する。光拡散層３０によって水平方向に伝播して消失する成分を外部に取り出すことができるため、光取り出し効率が向上する。
【００５４】
また、光拡散層３０は、外部から入射して、反射電極としての陰極１５によって光拡散層３０側に向けて反射された反射光を陰極１５に向けて反射させる機能を有する。十分な反射効果を発揮させるために、光拡散層３０のヘイズ値は、５０％以上であることが好ましく、８０％以上であることがより好ましく、９０％以上であることがさらに好ましい。
【００５５】
外部から光拡散層３０および光吸収層２０を通って有機ＥＬ素子２内に侵入し、有機ＥＬ素子２によって反射されて光拡散層３０に向かう光を有機ＥＬ素子２側に反射する光拡散層３０の反射率は、５％以上であることが好ましく、１０％以上であることがより好ましく、３０％以上であることがさらに好ましい。
【００５６】
図３は、実施の形態１に係る面発光モジュール内を外光が伝播する様子を示す模式図である。図３を参照して、外部から入射した外光が面発光モジュール１内を伝播する様子について説明する。
【００５７】
図３に示すように、外部（光拡散層３０側）から入射した外光は、光吸収層２０を通過して、有機ＥＬ素子２の陰極１５によって反射光として反射され、再度、光吸収層２０を通過して、光拡散層３０に到達する。この反射光においては、上述の反射光の波長特性依存性から第２波長を有する光が多く含まれるため、光吸収層２０を通過することにより、第２波長を有する光の多くが吸収される。
【００５８】
光拡散層３０に到達した反射光は、当該光拡散層３０によって拡散される。拡散された反射光の一部は、外部に出射され、拡散された反射光の他の一部は、有機ＥＬ素子２側に向けて反射される。
【００５９】
有機ＥＬ素子２側に向けて反射された光は、光吸収層２０を通過して、陰極１５によって反射され、再度、光吸収層２０を通過して、光拡散層３０に到達する。光拡散層３０に到達した反射光は、当該光拡散層３０によって拡散される。拡散された反射光の一部は、外部に出射され、拡散された反射光の他の一部は、有機ＥＬ素子２側に向けて反射される。
【００６０】
このように、面発光モジュール１の出射方向に沿って光吸収層２０および光拡散層３０を順に配置した構成とすることにより、外部から面発光モジュール１内に入射した外光が、光拡散層３０と有機ＥＬ素子２との間を多重反射する割合が増加する。
【００６１】
外光が多重反射する割合が増加することにより、光吸収層２０にて吸収される第２波長を有する光の割合が増加する。これにより、実施の形態１に係る面発光モジュール１にあっては、有機ＥＬ素子２が発光する光（第１波長を有する光）と異なる波長（第２波長）を有する光（より特定的には、有機ＥＬ素子２が発光する光と補色関係にある光）を十分に減光することができ、外観品位を向上させることができる。
【００６２】
さらには、外光が多重反射する割合を増加させることにより、吸収効果の小さい吸収層を用いた場合（たとえば、光吸収層２０の厚みを薄くした場合や、光を吸収する粒子の量を低減した場合）であっても、第２波長を有する光を十分に減光することができる。このように、材料の節約にもつながり、製造コストを低減させることもできる。
【００６３】
一般的に、有機ＥＬ素子２の設計によっては、特定の角度方向の外光反射に強い波長依存性を持つケースがあり、外観品質として問題となる場合がある。ここで、実施の形態１に係る面発光モジュール１においては、光拡散層３０があることによって、反射率の波長依存性は全方向に対して均一となり、特異的な色づきも緩和することができる。
【００６４】
また、光拡散層３０を設けた構成とすることにより、水平方向に伝播して消失する成分を外部に取り出すことができるため、光取り出し効率が向上する。
【００６５】
なお、陽極１３にＩＴＯではなく、薄膜のＡｇ層やＡｇ化合物等を用いた場合には、陽極１３での色分散が激しくなり、反射光の波長依存性がより大きくなる。このため、有機ＥＬ素子２が発光する光と補色関係にある光がより強く反射されることとなるが、上述のような構成を適用することにより、外観品位を向上させるといる効果をより顕著に発揮させることができる。
【００６６】
上述のように多重反射を効率よく行なうために、有機ＥＬ素子２の幅または奥行（図２参照）が、光拡散層３０における光吸収層２０側とは反対側の面３０ａから有機ＥＬ層２の反射面１５ａまでの間の距離の３倍以上であることが好ましい。たとえば有機ＥＬ素子２は、平面視において、幅および奥行が１ｍｍ〜２０ｍｍ程度である。有機ＥＬ素子２の厚さは、数十ｎｍ〜数十μｍ程度である。支持基板１２の厚さは、数十μｍ〜数百μｍ程度であり、光吸収層２０および光拡散層３０の厚さは、数ｎｍ〜数百μｍ程度である。
【００６７】
また、外光に含まれる第２波長を有する光は、有機ＥＬ素子２の陰極１５での１回の反射に対して、光吸収層２０を２回通過して外部に放出される。このため、反射光の波長依存性を軽減するために、有機ＥＬ素子２の陰極１５で受ける反射特性に対して、この半分以上の吸収特性を光吸収層２０に持たせることが好ましい。すなわち、光吸収層２０が有する透過特性において上述の第１波長での値と上述の第２波長での値との差を２倍した値が、有機ＥＬ素子２が有する反射特性において上述の第１波長での値と上述の第２波長での値との差よりも大きいことが好ましい。
【００６８】
たとえば、赤色光である第１波長を有する光に対する光吸収層２０の透過率が９０％であり、緑色光である第２波長を有する光に対する光吸収層２０の透過率が５０％である場合に、赤色光である第１波長を有する光に対する有機ＥＬ素子２の反射率が２０％であり、緑色光である第２波長を有する光に対する有機ＥＬ素子２の反射率が８０％である。
【００６９】
また、上述の実施の形態１に係る面発光モジュール１は、支持基板１２の第１主面１２ａ側に有機ＥＬ素子２を設け、支持基板１２の第２主面１２ｂ側に光吸収層２０および光拡散層３０を設けた構成である。
【００７０】
有機ＥＬ素子２においては、ナノオーダーで各層を成膜する必要があるため、支持基板１２が有する平坦な第１主面１２ａ上に有機ＥＬ素子２を構成する各層を成膜することができ、有機ＥＬ素子２を精度よく製造することができる。このため、有機ＥＬ素子２の設計を容易にすることができる。特に、陽極１３等の電極に薄膜のＡｇ層やＡｇ化合物等が用いられる場合には、表面プラズモンの効果を考慮して膜厚等を制御する必要が生じるため、上述のように平坦な第１主面１２ａ上に有機ＥＬ素子２を設けることにより、設計を容易に行なうことができる。
【００７１】
また、有機ＥＬ素子２との間に支持基板１２を挟んで光吸収層２０および光拡散層３０が設けられているため、光吸収層２０および光拡散層３０から放出されるアウトガスが有機ＥＬ素子２に到達することを防止することができる。これにより、アウトガスによる有機ＥＬ素子２の劣化を防止することができる。
【００７２】
（比較例）
図４は、比較例における面発光モジュール内を外光が伝播する様子を示す模式図である。図４を参照して、比較例における面発光モジュール１Ｘについて説明する。
【００７３】
図４に示すように、比較例における面発光モジュール１Ｘは、実施の形態１に係る面発光モジュール１と比較した場合に、光拡散層を備えていない点において相違する。その他の構成については、ほぼ同様である。
【００７４】
図４に示すように、外部（光吸収層２０側）から入射した外光は、光吸収層２０を通過して、有機ＥＬ素子２の陰極１５によって反射光として反射され、光吸収層２０に到達する。
【００７５】
比較例における面発光モジュール１Ｘには、光吸収層２０上に光拡散層が設けられていないため、光吸収層２０に到達した光の大部分が、外部に出射される。このため、比較例１においては、実施の形態１に係る面発光モジュール１と比較して、外部から面発光モジュール１Ｘ内に入射した外光が多重反射される割合が少なくなる。
【００７６】
これにより、光吸収層２０によって吸収される第２波長を有する光の割合が減少する。このため、有機ＥＬ素子２によって反射された外光のうち、有機ＥＬ素子２が発光する光（第１波長を有する光）と異なる波長（第２波長）を有する光を十分に減光することができなくなる。これにより、たとえば消灯時等に、面発光モジュール１Ｘから第２波長を有する光が放出される割合が増加し、これが外観に表れてしまう。
【００７７】
（実施の形態２）
図５は、実施の形態２に係る面発光モジュール内を外光が伝播する様子を示す模式図である。図５を参照して、実施の形態２に係る面発光モジュール１Ａについて説明する。
【００７８】
図５に示すように、実施の形態２に係る面発光モジュール１Ａは、実施の形態１に係る面発光モジュール１と比較した場合に、支持基板１２と有機ＥＬ素子２との間に、光吸収層２０および光拡散層３０が設けられている点において相違する。その他の構成については、ほぼ同様である。
【００７９】
面発光モジュール１Ａにおいては、光拡散層３０、光吸収層２０、および発光素子として有機ＥＬ素子２が、支持基板１２の第１主面１２ａ上において、出射方向と反対の方向に向けて当該第１主面１２ａの法線方向に沿ってこの順で設けられている。
【００８０】
この場合においても、外部（支持基板１２側）から入射した外光は、光吸収層２０を通過して、有機ＥＬ素子２の陰極１５によって反射光として反射され、再度、光吸収層２０を通過して、光拡散層３０に到達する。この反射光においては、上述の反射光の波長特性依存性から第２波長を有する光が多く含まれるため、光吸収層２０を通過することにより、第２波長を有する光の多くが吸収される。
【００８１】
光拡散層３０に到達した反射光は、当該光拡散層３０によって拡散される。拡散された反射光の一部は、支持基板１２を透過して外部に出射され、拡散された反射光の他の一部は、有機ＥＬ素子２側に向けて反射される。
【００８２】
有機ＥＬ素子２側に向けて反射された光は、光吸収層２０を通過して、陰極１５によって反射され、再度、光吸収層２０を通過して、光拡散層３０に到達する。光拡散層３０に到達した反射光は、当該光拡散層３０によって拡散される。拡散された反射光の一部は、支持基板１２を透過して、外部に出射され、拡散された反射光の他の一部は、有機ＥＬ素子２側に向けて反射される。
【００８３】
このように、面発光モジュール１Ａの出射方向に沿って光吸収層２０および光拡散層３０を順に配置した構成とすることにより、外部から面発光モジュール１内に入射した外光が、光拡散層３０と有機ＥＬ素子２との間を多重反射する割合が増加する。
【００８４】
外光が多重反射する割合が増加することにより、光吸収層２０にて吸収される第２波長を有する光の割合が増加する。これにより、実施の形態１に係る面発光モジュール１Ａにあっても、有機ＥＬ素子２が発光する光（第１波長を有する光）と異なる波長（第２波長）を有する光（より特定的には、有機ＥＬ素子２が発光する光と補色関係にある光）を十分に減光することができ、外観品位を向上させることができる。
【００８５】
実施の形態２に係る面発光モジュール１Ａは、同一の成膜装置を用いて、光拡散層３０、光吸収層２０および有機ＥＬ素子２を、支持基板１２の第１主面１２ａ上に、順に成膜することで製造することができる。この場合には、第１主面１２ａ上に有機ＥＬ素子を設け、第２主面上１２ｂ上に光吸収層２０および光拡散層３０を順に設ける構成と比較して、製造工程が簡単になる。
【００８６】
［他の変形例］
上記のような思想は、面発光モジュールがトップエミッション型の有機ＥＬから構成される場合にも適用できるし、面発光モジュールがボトムエミッション型の有機ＥＬから構成される場合にも適用できる。
【００８７】
上記のような思想は、面発光モジュールが無機ＥＬ素子から構成される場合にも適用できるし、面発光モジュールが複数の発光ダイオード（ＬＥＤ）およびこれら複数の発光ダイオードの出射面側に配置された光吸収層および光拡散層とから構成される場合にも適用できるし、面発光モジュールが冷陰極管等を用いて構成される場合にも適用できる。すなわち、発光素子が、有機ＥＬ素子に限定されず、無機ＥＬ素子、発光ダイオード素子、冷陰極管等であってもよい。
【００８８】
上述した実施の形態１および実施の形態２においては、光吸収層２０と光拡散層３０とが隣接する場合を例示して説明したが、これに限定されず、光吸収層２０と光拡散層３０との間に機能層が設けられていてもよい。
【００８９】
上述した実施の形態１および実施の形態２においては、光拡散層３０として、内部に微粒子を含むことで内部散乱作用を利用して光を拡散するものや、表面に凹凸を有することで界面反射作用を利用して光を拡散するものや、母材中に酸化チタンに代表される白色散乱粒子を含む散乱材料を均一に分散させたもの等を用いる場合を例示して説明したが、これに限定されず、拡散性を有する金属薄膜等を用いてもよい。
【００９０】
以上、本発明の実施の形態について説明したが、今回開示された実施の形態はすべての点で例示であって制限的なものではない。本発明の範囲は特許請求の範囲によって示され、特許請求の範囲と均等の意味および範囲内でのすべての変更が含まれる。
【符号の説明】
【００９１】
１，１Ａ，１Ｘ  面発光モジュール、２  有機ＥＬ素子、１２  支持基板、１２ａ  第１主面、１２ｂ  第２主面、１３  陽極、１４  有機層、１５  陰極、１６  封止層、１７  絶縁層、１８，１９  電極部、２０  光吸収層、３０  光拡散層。
【図１】
2017084517.tif 000003
【図２】
2017084517.tif 000004
【図３】
2017084517.tif 000005
【図４】
2017084517.tif 000006
【図５】
2017084517.tif 000007